(57)【要約】【課題】包装材料の簡略化を図り、環境適性・省資源化適性に優れた低コストの化粧コンパクトの詰替用ファンデーションセットを提供すること。【解決手段】透明又は半透明合成樹脂製容器が、一方開放の皿状ケースの３個を折畳み自在に連接して構成され、詰替用ファンデーション、パフが別個の皿状ケースに収納され、この詰替用ファンデーション、パフを収納していない皿状ケースが蓋体の役目を果たす構成であることを特徴とする化粧コンパクトの詰替用ファンデーションセットである。【選択図】  図１
2004329725.tif 000002
【特許請求の範囲】
【請求項１】
透明又は半透明合成樹脂製容器が、一方開放の皿状ケースの３個を折畳み自在に連接して構成され、詰替用ファンデーション、パフが別個の皿状ケースに収納され、この詰替用ファンデーション、パフを収納していない皿状ケースが蓋体の役目を果たす構成であることを特徴とする化粧コンパクトの詰替用ファンデーションセット。
【請求項２】
詰替用ファンデーション、パフを収納する皿状ケースの各々には、収納する詰替用ファンデーション、パフを安定収納する固定部が設けられていることを特徴とする請求項１に記載の化粧コンパクトの詰替用ファンデーションセット。
【請求項３】
パフを収納する皿状ケースの蓋体の役目を果たす皿状ケースの底面部には、該皿状ケースの下方に収納されるパフを安定収納する固定部が設けられていることを特徴とする請求項１又は２に記載の化粧コンパクトの詰替用ファンデーションセット。
【請求項４】
最上部の蓋体となる皿状ケースには、該皿状ケースの下方の皿状ケースに収納する詰替用ファンデーションの上面との接触を防ぐための凸である空隙部が形成されていることを特徴とする請求項１〜３のいずれかに記載の化粧コンパクトの詰替用ファンデーションセット。
【発明の詳細な説明】
【０００１】
【発明の属する技術分野】
本発明は化粧コンパクトの詰替用ファンデーションセットに関し、詳しくは詰替用のファンデーションとパフとを包装したセットに関する。
【０００２】
【従来の技術】
従来、詰替用ファンデーションの包装形態としては、皿状ケースと蓋体とから成る二折りの透明又は半透明合成樹脂製容器に収納し、パフを収納した袋と共に、別の容器に入れたセットとして販売されるのが一般的である。
【０００３】
【発明が解決しようとする課題】
しかし、従来の包装形態による詰替用ファンデーションセットによれば、３重包装となるために包装材料コストが高くなり、しかも廃棄される包装材料も多くなるため環境適性・省資源化適性が低いという問題点を有している。
【０００４】
そこで本発明の課題は、包装材料の簡略化を図り、環境適性・省資源化適性に優れた低コストの化粧コンパクトの詰替用ファンデーションセットを提供することにある。
【０００５】
【課題を解決するための手段】
上記本発明の課題は下記構成によって達成される。
【０００６】
１．透明又は半透明合成樹脂製容器が、一方開放の皿状ケースの３個を折畳み自在に連接して構成され、詰替用ファンデーション、パフが別個の皿状ケースに収納され、この詰替用ファンデーション、パフを収納していない皿状ケースが蓋体の役目を果たす構成であることを特徴とする化粧コンパクトの詰替用ファンデーションセット。
【０００７】
２．詰替用ファンデーション、パフを収納する皿状ケースの各々には、収納する詰替用ファンデーション、パフを安定収納する固定部が設けられていることを特徴とする上記１に記載の化粧コンパクトの詰替用ファンデーションセット。
【０００８】
３．パフを収納する皿状ケースの蓋体の役目を果たす皿状ケースの底面部には、該皿状ケースの下方に収納されるパフを安定収納する固定部が設けられていることを特徴とする上記１又は２に記載の化粧コンパクトの詰替用ファンデーションセット。
【０００９】
４．最上部の蓋体となる皿状ケースには、該皿状ケースの下方の皿状ケースに収納する詰替用ファンデーションの上面との接触を防ぐための凸である空隙部が形成されていることを特徴とする上記１〜３のいずれかに記載の化粧コンパクトの詰替用ファンデーションセット。
【００１０】
【発明の実施の態様】
以下、本発明の詳細について説明する。
【００１１】
図１は本発明に係る化粧コンパクトの詰替用ファンデーションセットの容器の展開状態の一実施例を示す正面図、図２は図１の平面図、図３は図１及び図２の容器に詰替用ファンデーションとパフを収納包装する過程を示す説明正面図、図４は本発明に係る化粧コンパクトの詰替用ファンデーションセットの容器の他の実施例の構成を示す説明正面図である。
【００１２】
図において、１は本発明に係る化粧コンパクトの詰替用ファンデーションセット（以下、単にセットということも有る。）の容器である。
【００１３】
該容器１は、着色又は無着色の透明又は半透明合成樹脂製であり、一方開放の３個の皿状ケース１１・１２・１３がヒンジ部１４・１５を介して折畳み自在に連接して構成されている。
【００１４】
３個の皿状ケース１１・１２・１３の役目としては、皿状ケース１１はパフ２を収納するものであり、皿状ケース１２は皿状ケース１１の蓋体と成ると共に詰替用ファンデーション３を収納するものであり、皿状ケース１３は皿状ケース１２の蓋体と成るものである。
【００１５】
皿状ケース１１には、パフ２を安定収納するための凹状の固定部である収納部１１Ａが形成されていると共に、皿状ケース１２との連接部であるヒンジ部１４と、皿状ケース１３との連接部であるヒンジ部１５が設けられている。
【００１６】
皿状ケース１２には、詰替用ファンデーション３を安定収納するための凹凸の固定部である収納部１２Ａが形成されていると共に、該収納部１２Ａの底部裏面１２Ｂは前記皿状ケース１１に収納されるパフ２の固定部となって安定収納するように構成されている。
【００１７】
最上部の蓋体と成る皿状ケース１３には、皿状ケース１２に収納される詰替用ファンデーション３の上面との接触を防ぐための凸である空隙部１３Ａが形成されている。１３Ｂは容器１を開放操作する際に手指で摘まむ摘み部である。
【００１８】
皿状ケース１２と皿状ケース１３には、皿状ケース１１・１２・１３を折畳んで閉塞した際に該折畳み閉鎖状態を維持するためのストッパー部（雄）１６・ストッパー部（雄）１７が形成されている。折畳んで閉鎖した際、夫々対応する位置に形成されているストッパー部（雌）１７とストッパー部（雄）１６とが互いに嵌合することで閉鎖状態を維持することとなる。
【００１９】
上記構成を有する容器１は、この種の包装材料に用いられる公知公用の一般的な材質によって製造することができ、強度を高めたり特別な素材を用いることなく本発明の構成を適用できるので材質及びコストでの制約を受けることなく製造することができる。
【００２０】
次に図３に基づき、容器１にパフ２及び詰替用ファンデーション３を収納して閉塞包装する過程｛（Ａ）〜（Ｅ）｝について説明する。
【００２１】
（Ａ）に示すように、展開状態の容器１の中央に位置する皿状ケース１１の収納部１１Ａにパフ２を収納する。
【００２２】
（Ｂ）に示すように、展開状態の容器１の右に位置する皿状ケース１２を矢符Ｘ方向に折畳む。
【００２３】
皿状ケース１２を折畳むことにより、該皿状ケース１２が皿状ケース１１の蓋体の役目を果たす。
【００２４】
（Ｃ）に示すように、皿状ケース１１の蓋体となった皿状ケース１２の収納部１２Ａに詰替用ファンデーション３を収納する。
【００２５】
（Ｄ）に示すように、展開状態時に容器１の左に位置する皿状ケース１３を矢符Ｙ方向に折畳む。
【００２６】
皿状ケース１３を折畳むことにより（Ｅ）に示すように、該皿状ケース１３が皿状ケース１２ないしは全体の蓋体の役目を果たす。
【００２７】
以上のように、容器１にパフ２及び詰替用ファンデーション３を収納して閉塞した本発明に係る化粧コンパクトの詰替用ファンデーションセットによれば、透明又は半透明合成樹脂製であるため、ファンデーションの色彩を外部から容易に視認することができ、化粧品店などでの在庫管理・陳列管理が容易であり、購買者も所望の色目のファンデーションの購入が容易にできる。従って、販売訴求効果が高い。
【００２８】
また、合成樹脂製の一つの容器１に包装収納する包装形態であるため、携帯性にも軽量性にも富み、化粧コンパクト用の詰替用としてだけでなく、旅行等に単独携行もできる。
【００２９】
更に、従来のように別体でパフを収納する袋と共に容器に入れるものとは異なり、一つの容器にパフ及び詰替用ファンデーションを収納したセットとすることができるので包装が簡略であるため、包装材料のコストダウンが図れるだけでなく、廃棄する包装材料も減じることができるので環境適性・省資源化適性を有している。
【００３０】
以上、本発明に係るセットの実施例について説明したが、本発明は上記実施例に限定されず、例えば、下記するような他の態様を採ることもできる。
【００３１】
図１〜図３に示す実施例では、中央に位置する皿状ケース１１が最下層の底ケースとなり、右に位置する皿状ケース１２が第２層のケースとなり、左に位置する皿状ケース１３が全体の蓋体となる構成であったが、本発明はこの構成に限らず、他の層構成であってもよい。
【００３２】
例えば、図４に示すように、左に位置する皿状ケース１１’が最下層の底ケースとなり、中央に位置する皿状ケース１２’が皿状ケース１１’の蓋体となると共に第２層のケースとなり、右に位置する皿状ケース１３’が最上層の蓋体となる構成であってもよい。
【００３３】
皿状ケース１１’・１２’１３’の収納部・底部裏面・空隙部等の深さや形状等は、各皿状ケースの順序構成や収納するパフ・詰替用ファンデーションの形状・厚み等の種々条件に応じて適宜設定すればよい。
【００３４】
【発明の効果】
本発明によれば、包装材料の簡略化を図り、環境適性・省資源化適性に優れた低コストの化粧コンパクトの詰替用ファンデーションセットを提供することができる。
【図面の簡単な説明】
【図１】本発明に係る化粧コンパクトの詰替用ファンデーションセットの容器の展開状態の一実施例を示す正面図
【図２】図１の平面図
【図３】図１及び図２の容器に詰替用ファンデーションとパフを収納包装する過程を示す説明正面図
【図４】本発明に係る化粧コンパクトの詰替用ファンデーションセットの容器の他の実施例の構成を示す説明正面図
【符号の説明】
１  容器
１１  皿状ケース
１１Ａ  収納部
１２  皿状ケース
１２Ａ  収納部
１２Ｂ  底部裏面
１３  皿状ケース
１３Ａ  空隙部
１３Ｂ  摘み部
１４  ヒンジ部
１５  ヒンジ部
１６  ストッパー部（雄）
１７  ストッパー部（雌）
２  パフ
３  詰替用ファンデーション
【図１】
2004329725.tif 000003
【図２】
2004329725.tif 000004
【図３】
2004329725.tif 000005
【図４】
2004329725.tif 000006